(57)【要約】  ベッド周囲のエリアに患者を拘束するための折畳式の囲いが、水平なひさし部と、この水平なひさし部と対向する水平な基部と、水平ひさし部を支持するために水平基部から直立する少なくとも２つの垂直部材を備える。このフレームは、保管および移送用に一体ユニットとして折り畳みできる。患者がエリア内を自由に動くことが許容されるように、フレームに取り付けられたネットアセンブリが、ベッド周囲のエリアを定義する。
2005508684.tif 000002
【特許請求の範囲】
【請求項１】
患者をベッド周囲のエリアに拘束するための囲いであって、
ベッドを取り囲むフレームを備え、
前記フレームは、
上部側方延出サポートと、
前記上部側方延出サポートの第１側に連結される第１直立支柱と、
前記上部側方延出サポートの第２側に連結される第２直立支柱とを備え、
前記第１直立支柱、前記第２直立支柱および前記上部側方延出サポートの少なくとも一つが、移送または保管用に前記フレームを折り畳めるように他の支柱の少なくとも一つに対して移動可能であり、
さらに、キャノピ・アセンブリは、患者がエリア内を自由に移動することができるようにベッド周囲のエリアを定義する前記フレームに固定されることを特徴とする患者をベッド周囲のエリアに拘束するための囲い。
【請求項２】
前記第１および第２直立支柱が、前記上部側方延出サポートに回転可能に連結され、前記第１および第２直立支柱が前記上部側方延出サポートの方向にコンパクトに折り畳まれる請求項１に記載の囲い。 
【請求項３】
前記上部側方延出サポートを前記第１および第２直立支柱に回転可能に連結するコーナーブラケットと、
前記上部側方延出サポートの第１および第２側の間に介在する少なくとも１つの連結部とを備え、前記上部側方延出サポートの第１側が、前記第１直立支柱の方向に折り畳み可能で、前記上部側方延出サポートの第２側が前記第２直立支柱の方向に折り畳み可能である請求項１に記載の囲い。
【請求項４】
前記上部側方延出サポートは、上部横方向の部材を備え、該上部横方向の部材は、その部材を強固に固定し、且つ、前記上部横方向の部材を折り畳むことができるようにするための連結部を有する請求項３に記載の囲い。
【請求項５】
前記フレームが、前記上部側方延出サポートに対向する低部側方延出サポートをさらに備える請求項１に記載の囲い。
【請求項６】
前記フレームが、前記ベッドを収容するための開口部を定義するように前記低部側方延出サポートの一部を回転させる連結部をさらに備える請求項５に記載の囲い。
【請求項７】
前記低部側方延出サポートと前記第１および第２直立支柱とを回転可能に連結するコーナーブラケットと、前記低部側方延出サポートの各端部に介在する一対の連結部とを備え、
前記低部側方延出サポートの第１側は前記第１直立支柱の方向にコンパクトに折り畳まれ、前記低部側方延出サポートの第２側は前記第２直立支柱の方向にコンパクトに折り畳まれることが可能であり、
前記低部側方延出サポートの長手方向部分は、前記フレームが折り畳まれるときにその間で重なるように、上部側方延出サポートの長手方向部分に関して横方向にオフセットされる請求項５に記載の囲い。
【請求項８】
前記フレームにキャノピ・アセンブリを固定し、且つ、前記エリアへのアクセスを可能にするための複数のジッパーを更に備える請求項１に記載の囲い。
【請求項９】
前記上部側方延出サポートを支持する第３および第４直立支柱を更に備え、各直立支柱は、前記フレームの各コーナーに収容される請求項１に記載の囲い。
【請求項１０】
前記フレームが、該フレーム内部にてキャノピ・アセンブリを支持する請求項１に記載の囲い。
【請求項１１】
前記キャノピ・アセンブリは、前記エリア内部および外部から目視可能にするために少なくとも部分的に濃い色のナイロンのネットから形成される請求項１に記載の囲い。
【請求項１２】
前記キャノピ・アセンブリが、高い視認度と汚れに対する耐性とを備えるように少なくとも部分的にネット手段から形成される請求項１に記載の囲い。
【請求項１３】
患者をベッドエリアに拘束するための囲いであって、
ヘッド部とフット部とを有するとともに、それらヘッド部とフット部との間に配置された回転可能な連結部を備えた２本の長手方向上部支柱と、前記２本の長手方向上部支柱に連結される２本の横方向上部支柱と、
ヘッド部とフット部とを有するとともに、それらヘッド部とフット部との間に配置された回転可能な連結部を備えた２本の長手方向基部支柱と、前記２本の長手方向基部支柱に連結される２本の横方向基部支柱と、
前記長手方向基部支柱および横方向基部支柱の上方の前記長手方向上部支柱と横方向上部支柱とを支持する４本の直立支柱とを備え、
各直立支柱が、それぞれ上端部および基部を有し、
さらに、前記長手方向上部支柱と前記横方向上部支柱とを、前記４本の直立支柱の上端部に移動可能に連結する４つの上部コネクターとを備え、
前記４本の直立支柱の上端部と、前記長手方向上部支柱と、前記横方向上部支柱とが、使用するとき、互いに対して固定可能になり、また保管のときには、互いに対して折り畳み可能になるように４つの上部コーナーを形成し、
前記４本の直立支柱の基部と前記長手方向基部支柱と前記横方向基部支柱とを移動可能に連結する４つの基部コネクターとを備え、
前記４本の直立支柱の基部と、長手方向基部支柱と、前記横方向基部支柱とが、使用するとき、互いに対して固定可能になり、また保管のときには、互いに対して折り畳み可能になるように４つの基部コーナーが形成される患者をベッドエリアに拘束するための囲い。
【請求項１４】
２本の長手方向基部支柱が、前記２本の長手方向上部支柱に対して少なくとも部分的に横方向にオフセットされる請求項１３に記載の囲い。
【請求項１５】
前記上部および基部のそれぞれのコネクターは、
端部に第１直立トラスを備えるプラットフォームを有する基部構成部材と、
前記基部構成部材と第２直立トラスとを係合させるフランジを有する上部構成部材とを備え、
前記第１および第２直立トラスは、各前記直立支柱の一部を収容するチャネルを定義し、前記囲いが組み立てられるとき、前記直立支柱が各コネクターに固定される請求項１３に記載の囲い。
【請求項１６】
回転可能な連結部が、前記横方向上部支柱および前記横方向基部支柱のそれぞれに介在する請求項１３に記載の囲い。
【請求項１７】
比較的最小化された状態のときに、前記囲いを保持するために前記横方向の基部支柱に取り付けられるストラップを更に備える請求項１３に記載の囲い。
【請求項１８】
ベッド周囲のエリアに患者を拘束するための囲いであって、
４つのコーナーを有するベッド形状のエリアを定義する第１手段と、
前記ベッド上方の前記第１手段のヘッド部を支持する第２手段と、
前記ベッド上方の前記第１手段のフット部を支持する第３手段とを備え、
前記第１手段、前記第２手段、および前記第３手段の少なくとも１つが、移送または保管用に前記囲いの折り畳みを可能にするために、少なくとも他の一つの手段に対して移動可能であり、
更に、患者がエリア内を自由に動くことが許容されるように、ベッド周囲のエリアを定義する前記第１手段に固定される第４手段とを備えるベッド周囲のエリアに患者を拘束するための囲い。
【請求項１９】
前記第１手段と前記第２手段と、および前記第１手段と前記３手段とを回転可能に連結し、互いに対して前記第１手段、前記第２手段、および前記第３手段とを固定する第５手段を更に備える請求項１８に記載の囲い。
【請求項２０】
前記第１手段は、上部側方延出サポートである請求項１８に記載の囲い。
【請求項２１】
前記第２手段は、直立支柱である請求項１８に記載の囲い。
【請求項２２】
前記第３手段は、直立支柱である請求項１８に記載の囲い。
【請求項２３】
前記第４手段は、キャノピ・アセンブリである請求項１８に記載の囲い。
【発明の詳細な説明】
【技術分野】
【０００１】
本発明は、ベッドエリアに拘束されることが望ましいとされる患者のための拘束用の囲いを提供するシステムに関する。
【背景技術】
【０００２】
本願は、２００１年１１月１４日に出願された米国特許出願第６０/３３２,７５０号の優先権を主張し、参照によりその内容を本明細書に組み込むこととする。
【０００３】
脳損傷、痴呆およびアルツハイマー病等の様々な病気および状態は、さらなる怪我および災難を防ぐために、人々を患者の絶え間ない管理が必要な状態にしばしば追い込むことになる。そのような必要に応じて患者をモニタリングおよび管理するための従来のシステムおよび方法には、ベッド・ストラップまたは拘束具、拘束衣、鎮静剤、モニタリング装置、献身的な個々の看護、隔離部屋などの一つおよびこれらの組合せがある。これらの先行技術の方法およびシステムの多くは、すべての関係者に重荷となり、また非常に高価である。例えば、ベッド・ストラップは、患者をベッド上に動けなくする。この患者が移動および位置を変えることを望む場合、拘束具がこのような動きを妨げる。その結果、拘束される患者は、医学的な合併症の苦痛を受けるとともに、非常に不快であったり、および／または、動揺させられる。別の例としては、このような拘束される人に付き添わせるための専用の人（dedicated person)を一日中付き添わせることがあるが、毎日の基本コストがコスト高になる。
【０００４】
近年、自由な動きを許容しながらも、患者をベッドエリアに拘束することに取り組むためのいくつかの技術が患者および介護人の必要に応じるために開発されている。イーズ（Eads ）らへの米国特許第５,２１６,２９１号、チャドウイック（Chadwick)らへの第６,２６３,５２９号にはいくつかの例が記載されており、それらを参照として本願に組み込むこととする。しかしながら先行技術のベッド囲い装置に関連する問題点がある。多くの場合、拘束を必要とする状態は、一時的であり、結果として、この囲いの移送、組み立ておよび分解は、よく行われることになる。
先行技術のシステムでは、組み立ておよび分解のために大規模な人手を必要とする。分解される際、取り外される部品は失われる可能性があり、また、保管が煩わしく、困難である。組み立てるためには、道具および過度のノウハウおよび人手が必要とされる。組み立てられたとき、過度にかさばるために、容易な移送および保管を困難にする。
【０００５】
従って、容易な組み立て、分解、保管および移送とを可能にし、また十分な患者の拘束およびモニタリングを保証することを可能にする改良されたシステムが必要とされる。
【発明の開示】
【発明が解決しようとする課題】
【０００６】
本発明の課題は、容易に組みたて、分解、移送、保管および清掃できる囲いを提供することである。
【０００７】
さらに、本発明の課題は、エリアに患者の安全な拘束を提供しつつ、しかもエリア内で自由かつ快適な動きを許容することである。
【０００８】
本発明の他の課題は、エリア捕捉性を備えるとともに、視覚により効果的に患者のモニタリングを可能にする拘束用の囲いを提供することである。
【課題を解決するための手段】
【０００９】
本発明は、患者をベッド周囲のエリアに拘束するための折り畳み式の囲いに関し、水平ひさし部（上部側方延出サポート）と、該水平ひさし部に対向する水平基部(低部側方延出サポート)と、水平ひさし部を支持するために水平基部から直立する少なくとも２つの垂直部材(直立支柱)とを有するフレームを備えており、保管および移送のために、このフレームは、一体型ユニットとして折り畳める。キャノピ・アセンブリ（canopy assembly）は、患者がそのエリア内にて自由な動きが許容されるようにベッド周囲のエリアを定義するフレームに固定される。
【００１０】
好適実施例では、ベッド周囲エリアに患者を拘束するための囲いが、ベッドを取り囲むフレームを備える。このフレームは上部側方延出サポートと、この上部側方延出サポートを支える第１および第２直立支柱とを有しており、保管および移送のために、このフレームは、コンパクトに折り畳める。キャノピ（canopy:  覆い、天蓋 ）・アセンブリは、患者がエリア内を自由に移動することが許容されるように、ベッド周囲のエリアを定義するフレームに固定される。
【００１１】
本発明は、現在公知および今後開発される用途のためのプロセス、機会、システム、装置に限定されず、様々な方法で実施および使用されることが認識されるべきである。
【発明の効果】
【００１２】
本発明の囲いは、ベッドの周縁により定義されるエリアに患者を安全に閉じ込める。しかしながら、患者は、ベッド周囲のエリア内は、自由に移動することができる。介護人および付き添い人は、この拘束されたエリアを目視できるだけでなく、部分的(選択的）に開け閉め自在（fastenable)の開口部を介して患者にアクセスすることもできる。患者は、囲いの周辺の全体的な環境をみわたせ、交流を図る(やりとりする）ことが可能である。使用されない場合、囲いは容易に保管および移送のために折り畳める。
【００１３】
本明細書に開示されるシステムのユニークなこれらおよびその他の特徴は、以下の記載および添付図面からより容易に明白になるだろう。
【００１４】
本発明は、ベッドエリアに患者を拘束するための囲いに関連する多くの先行技術の問題を解消する。本明細書に開示されるシステムの利点および他の特徴は、本発明の実施例を図示した図面と組み合わせて、特定の好適実施例に関する以下の詳細な説明から、当業者に容易に明らかになるであろう。尚、図面では同様の参照番号が同様の構成部材を示している。
【発明を実施するための最良の形態】
【００１５】
図１を参照すると、折り畳み式囲い１００が、拘束具を用いずに、人をベッド２００に閉じ込める。通常、この囲い１００は、標準の病院用ベッド２００を備えた病院環境で使用されるだろう。この囲い１００は、ベッド２００周囲の拘束エリアを定義する単一のアルミニウム・フレーム１１０を有する。適当に頑丈かつ軽量なフレーム１１０を形成するために、フレーム １１０は、鋼、塩化ビニル管、アルミニウム、プラスチック、炭素繊維合成物、他の金属等を単独または組み合わせた現在既知であり、また今後開発されるような様々な材料から作り上げることが可能であると想定される。１つの実施例では、フレーム１１０はフレーム１１０を移動させるためのキャスターを有する。
【００１６】
キャノピ(canopy: 覆い、天蓋、ひさし）１０２は、人が拘束エリアから出るのを妨ぐために、フレーム１１０の周りにかけられて適所に固定される。キャノピ１０２は、ベッドへの調節のためにベッド２００の１部分はアクセス可能に残す。本発明の開示に基づいて当業者に認識されるように、キャノピ１０２は、フレーム構成部材、マジックテープ等またはそれらを併用したものの上をスライドするジッパー、ファブリックスリーブ(fabric sleeve)によって、フレーム１１０に対してまたはその上方で適所に固定されることができる。拘束エリアへのアクセスを許容するために、ジッパー１０８が、キャノピ１０２の一部分の動きを許容する。好ましくは、キャノピ１０２に使用されるジッパーはすべてセルフロッキングである。
【００１７】
１つの実施例では、キャノピ１０２はフレームの内部を覆う。好ましくは、キャノピ１０２は、ビニルまたはナイロン(登録商標)の部位１０４とネット１０６との組合せから形成される。好適実施例では、このネット１０６は黒いナイロンネットである。黒だけでなく、茶、青等の暗い色の利点は、シースルー特性の向上および汚れへの優れた耐性を可能にする。さらに、ナイロン生地はビニルより実質的に軽く、したがって、扱いがより簡単である。
【００１８】
図２Aおよび図２Bを参照すると、フレーム１１０は、４本の垂直バー１１８（直立支柱）によって基部（低部側方サポート）１１３上方に支持されるひさし部１１１（上側方サポート）を含む。組み立てられたとき、フレーム１１０は強固であり、基部１１３によって床の上に支持される。囲い１００内のベッド２００は、ヘッド部２０２とフット部２０４(図１を参照)とを有している。従って、フレーム１１０が、それぞれ対応するヘッド部およびフット部を有する。図示されるフレーム１１０は左右対称である。フレーム１１０の強靭性および安定性は、成人が乱暴に脱出を試みても、フレーム１１０に損害を与えたり、またはフレーム１１０を傾けることがないことが好ましい。
【００１９】
基部１１３は、２本の非直線形であり、実質的に平行な長手方向の支柱１１５を有し、各支柱１１５はヘッド部１１２hとフット部１１２ｆとを有する。
ヘッド部１１２ｈとフット部１１２fは、連結部(継手）１１４によって結合される。互いに平行な２本の横方向の支柱（transverse supports ）１１７が、ほぼ標準の病院ベッド２００のサイズである長方形を実質的に形成するために、非直線形の支柱１１５間に延びる。横方向の支柱１１７は、連結部１１４によって連結される２つの部分１２０を備える。通常、標準の病院ベッド２００は、およそ９０.２５インチ(約２２９ｃｍ）×３６.６４インチ（約９３ｃｍ）であり、特に基部１１３およびひさし部分１１１によって形成される長方形の囲い１００は、どんなサイズのベッドにも適合できる。
【００２０】
４つの低部のコーナーブラケット１１６は、長手方向の支柱１１５と横方向の支柱１１７が選択的に回転可能なように、それら支柱とを固定する。好ましくは、図４および図５に関して下記に記載されるように、各連結部１１４は、旋回可能に連結されるとともに、各支柱１１５、１１７の中間部に配置され、フレーム１１０の折り畳みを容易にする。基部１１３の長手方向の支柱１１５の中央部は、囲い１００の折り畳みを容易にするために、囲い１００の内側の方向にオフセットされる。
【００２１】
ひさし部分１１１は、４本の垂直、且つ、平行である矩形状のバー１１８によって、基部１１３上に支持される。互いに平行な２本の直線状である長手方向の支柱１２１は、ひさし部１１１のヘッド部の端部とフット部の端部との間に延出する。互いに平行な２本の横方向の支柱１２３は長手方向の支柱１２１間に延出して、ほぼ標準病院ベッド２００のサイズの長方形を形成する。４つの上部コーナーブラケット１１６は、支柱がそこから下方に向かって選択的に回転可能になるように、ひさし部１１１の支柱１２１、１２３を固定する。好ましくは、ひさし部１１１の各支柱１２１、１２３は、フレーム１１０の折り畳みを容易にするためにそれら長手方向の中間部に配置されるピボット装置１１４を有する。
【００２２】
また図２Aおよび図２Bを参照すると、組み立てられた際、このコーナーブラケット１１６は、そこに４本の垂直バー（直立支柱）１１８を強固に固定する。
【００２３】
別の実施例では、この４本の垂直バー１１８は、コーナーブラケット１１６と一体形成されている。別の実施例では、ひさし部１１１の支柱１２１,１２３は単一体で、コーナーブラケット１１６から選択的に分解するために選択的に着脱できる。別の実施例では、図４に仮想線で示される開示を参照するとき当業者に認識されるように、ひさし部１１１のヘッド部の端部およびフット部の端部は、２つの強固なパネルによって基部１１３の上方に支持される。別の実施例では、ひさし部および基部の長手方向に平行な一対の支柱または横方向に平行な支柱のみに、旋回可能な連結部１１４が設けられてもよく、従ってフレームは部分的にのみ折り畳める。
【００２４】
囲い１００内にベッド２００を配置するために、基部のヘッド部１１２hの端部およびフット部１１２fの端部が、連結部１１４を介して中間で分解されるとともに、矢印Aに沿って上向きに回転される。ベッド２００は通常ホイール２０６上に取り付けられているので、ベッド２００は、囲い１００と干渉することなく転がる。囲い１００内のベッド２００の位置を決める際、ヘッド部１１２hの端部およびフット部１１２fの端部は、下方へ回転され、連結部１１４と共に固定される。
【００２５】
その後、マットレスがキャノピ１０２内に配置され、患者がベッド２００内に入れられ、キャノピ１０２は適所に固定される。あるいは、キャノピ１０２は、フレーム１１０周囲の適所で固定されてもよく、患者は、キャノピ１０２の開口部１８０から拘束エリアに入るようにしてもよい。別の実施例では、基部は設けられていない。基部を有さない１つの実施例では、４本の垂直バー１１８は、踏み板（foot plates）として終端処理されてもよい。別の実施例では、４本の垂直バー１１８は、標準の病院ベッド２００のヘッドボードスロットおよびフットボードのスロットへの挿入に合うように適合および形成されるポストとして終端処理されてもよい。従って、ベッド２００の周囲に囲いを組み立てるために、ヘッドボードおよびフットボードは取り除かれ、４本の垂直バーがそこに差し込まれる。
【００２６】
あるいは、この４本の垂直バーはベッド上にボルト締めされてもよいし、あるいはベッドへの安全なロック係合を可能にする取付板によってボルト締めされてもよい。
【００２７】
図３Aから図３Dを参照すると、コーナーブラケット１１６は、基部構成部材１４０と上部構成部材１４２とを有しており、好ましくは金属から形成され、溶接およびリベット結合されることが好ましい。基部構成部材１４０は、その両端部に２つの直立する三角架１４９を備える実質的に三角形のプラットフォーム（基盤）１４８を有する。２つの直立する三角架１４９は、垂直バー１１８の一部を収容するためにチャネル（溝）１５１を区画する。上部構成部材１４２は、基部構成部材１４０を係合するフランジ１４３と２つの直立する三角架１４５とを有する。垂直バー１１８も溶接またはリベット結合でコーナーブラケット１１６に固定される。アングルブロック１４４が、補足的な支持、嵌合および剛性のために、上部構成部材１４２および垂直バー１１８に溶接またはリビット結合される。垂直バー１１８、基部構成部材１４０、上部構成部材１４２およびアングルブロック１４４は、必要とされる機能を果たす所望の形状を構成するために、一体型構造、リベット結合、ねじ留め、糊付け等がなされてもよいことが想定される。別の実施例では、付加的に構造を支えるためのアングルブロック１４４の代わりに、コーナーブラケット１６６に垂直バー１１８を固定して締め付けるために垂直バー１１８と一致するように、コーナブラケット１６６の形状が修正されている。
【００２８】
図３Eから図３Hを参照すると、基部１１３およびひさし部１１１の支柱１１５、１１７、１２１、１２３の端部１５０がコーナーブラケット１１６に回転可能に連結されている。好ましくは、図３Fに最もよく図示されるように、支柱の端部１５０は丸み付けされ、ピン(図示せず)を収容するためのピボット通路１５２を有する。このピンは、さらに、コーナーブラケット１１６中に形成された空孔１４６を通って延出する。このピンは、図３Hに図示されるように、コッター（横楔）ピン等によって定位置に保持され、ナイロンコーティングされたステンレス鋼テザー１６６によって、フレーム１００に固定される。１つの実施例では、テフロン・ブッシング(軸受け筒）が、滑らかな回転および耐磨耗性の特性を高めるためにピボット通路１５２に挿入される。拘束ネジ等のようなロック用留め具(図示せず)が、アセンブリのために、支柱１１５、１１７、１２１、１２３をコーナーブラケット１１６に頑丈に固定する。好ましくは、このロック用留め具(locking fastener)は、支柱１１５、１１７、１２１、１２３および対応するコーナーブラケット１１６中で整列する空孔(図示せず)を通って延出する。支柱１１５、１１７、１２１、１２３を固定するために、この整列された空孔がねじ切りされてもよいし、もしくは、ナットおよびボルトの組み合わせを用いてもよい。
【００２９】
図３Eから図３Lを参照すると、連結部１１４は、支柱１１５、１１７、１２１、１２３の中間端部同士を、選択的に回転可能または強固に締め付ける。ピボット・ピン(図示せず)は、支柱１１５、１１７、１２１、１２３の空孔１５２と連結部１１４中の開口部１５８とを通って延出することにより、支柱１１５、１１７、１２１、１２３の中間端部１５０を連結部 １１４に回転可能に固定する。支柱１１５、１１７、１２１、１２３を強固に固定するために、ピンおよび留め具(図示せず)は、連結部１１４の穴１６０、１５９と支柱１１５、１１７、１２１、１２３の穴１５６、１５３とをそれぞれ通って延出する。好ましくは、１対のナット・プレート１１９が、支柱１１５、１１７、１２１、１２３の領域の結合力を広げる。例えば、ピンがナット・プレート１１９上の開口部１６３に延出し、ナット・プレート１１９は、留め具によって、端部１５０のチャンネル１５６の各側面の適所に保持される。この留め具は、一方のナット・プレート１１９の穴１６１を通過し、対応する穴１６１によって対向するナット・プレートへとねじ締めされる。好ましくは、ピンおよび留め具は、ナット・プレート１１９との捕捉係合を容易にし、また分解の際の紛失防止、さらに有効な保管を提供するために、固定リング(中ナット、locking ring）を有する。別の実施例では、過剰にきつい滑りばめの許容誤差の必要性を緩和するために、テフロン・ブッシング(図示せず)が、中央の開口部１５６に圧入される。
【００３０】
図４および図５を参照すると、フレーム１１０のコーナーブラケット１１６および連結部１１４は、移送および保管するためにフレーム１１０の折り畳みを許容するためにリリースされている。リリースされるとき、４本の垂直バー１１８は、直立したままで寄せ集められる。４本の垂直バー１１８が寄せ集められるとき、支柱１１５、１１７、１２１、１２３は、それぞれコーナーブラケット１１６で一端部が、連結部１１４で内側端部が軸回りにちょうつがいで動く。４本のバー１１８の高さは、ひさし部１１１の横方向の支柱１２３の内側端部と基部１１３の横方向の支柱１１７の内側端部とが重ならないように選択される。しかしながら、ひさし部分１１１の長手方向の支柱１２１の内側端部と基部１１３の長手方向の支柱１１５の内側端部とが重なる。この重なりを提供するために、基部１１３の長手方向の支柱部材１１５の非直線形の形状は、完全に折り畳まれたときに生ずるひさし部分の長手方向の支柱１２１と基部の長手方向の支柱１１５との中央部分同士の衝突を防止する。その結果、フレーム１１０は、図５に示されるように、保管および移送のための最小化が可能になる。好ましくは、フレーム１１０に付属のストラップ(図示せず)が、最小化された位置にてフレーム１１０を固定するために使用される。別の実施例では、折り畳まれたフレーム１１０は、移送用バッグに格納される。本発明の開示に基づき、当業者に認識されるように、フレーム１１０は、そのままキャノピ１０２とともに折り畳まれてもよい。
【００３１】
図６および図７を参照すると、本発明の囲い用のキャノピの別の実施例が、通常参照番号３０２によって示される。このキャノピ３０２は上記に記載のキャノピ１０２と類似しているので、同様の部材を示すために、その数字の「１」の代わりに数字「３」で始まる参照番号が用いられる。このキャノピ３０２はスリーブ３０３によって、フレーム１１０のひさし部分１１１から下方に垂れ下がる。キャノピ３０２は、ベッドを調節するためにベッドの１部分にアクセス部を残す。好ましくは、キャノピ３０２は、関連技術分野における当業者に公知であるようなアクセス部を提供すべく低部パネル３０８に設けられたジッパー(図示せず)を有する。スリーブ３０３は、ナイロン３１０、発泡プラスチック３１２、およびメッシュ３１４から作られる。発泡プラスチック３１２は、フレーム１１０のためのパッドとして作用する。好適実施例では、この発泡プラスチック３１２は、吸水を防止するため独立気泡体のパッド材質であり、このメッシュ３１４は、キャノピ３０２の洗浄後、水はけおよび乾燥を可能にする。別の実施例では、フレーム１１０の垂直バー１１８にキャノピ３０２を固定するためにスリーブが提供される。
【００３２】
図８Aおよび図８Bを参照すると、カラーアセンブリ３２０が、拘束される患者へのけがを防ぐために、各垂直バー１１８に嵌合される。付加的なカラーアセンブリ３２０を嵌合させて、患者にけがを負わせる可能性のあるフレームのあらゆる部位をもカバーするように用いられてもよい。これらのカラーアセンブリもまたナイロン３２２、発泡プラスチック３２４、メッシュ３２６および留め具３２８から構成されており、容易なメンテナンス、組み立て、さらにフレーム１１０による怪我から患者を保護することを可能にする。このカラーアセンブリ３２０は、フレーム１１０に対してぴったりと美観よく嵌合させるように輪郭が決定される。
【００３３】
留め具３２８は、フレーム１１０上にカラーアセンブリ３２０のぴったりとした嵌合を保証するために使用される。好ましくは、留め具３２８はホックとループとの一対の構成である。
【００３４】
関連技術分野における当業者に認識されるように、本発明の開示に基づき、図面および関連する詳細な記載は好適実施例を象徴するものであって、様々な修正が加えられることができる。
【００３５】
本発明は、好適実施例に関して記載されているが、当業者は、本明細書に開示および請求項される本発明の思想または範囲を逸脱しない限り本発明に種々の変更および／または修正が加えられることを容易に認識するだろう。
【００３６】
本願に開示されたシステムに関する当技術分野において一般的な技術を有するものは、図面を参照することによって、同様に使用および作成する仕方について容易に理解するであろう。
【図面の簡単な説明】
【００３７】
【図１】図１は、本発明に従って構成されるベッドへの患者拘束用の折り畳み式囲いであって、特にベット周囲に配置される拘束用の囲いを示す。
【図２】図２Aは、図１の拘束用囲いを組み立てたときのフレームの斜視図である。図２Bは、図１のフレームを組み立てたときのフレームの底面図である。
【図３】図３Aは、図１のフレームのコーナーブラケットの外側部分の斜視図である。図３Bは、図１のフレームのコーナーブラケットの内側部分の斜視図である。図３Cは、図１のフレームの部分的に組み立てられたコーナーブラケットの斜視図である。図３Dは、図１の拘束用囲いのフレームの垂直バーに固定された部分的に組み立てられた２つのコーナーブラケットの斜視図である。図３Eは、図１のフレームの支柱端部の平面図である。図３Fは、図１のフレームの支柱端部の底面図である。図３Gは、図１のフレームの支柱端部の側面図である。図３Hは、図１の拘束用囲いのテザー(つなぎ縄）の斜視図である図３Iは、図１のフレームの連結部の平面図である。図３Jは、図１のフレームの連結部側面の端面図である。図３Kは、図１のフレームの連結部の端面図である。図３Lは、図１のフレームのナット・プレートの平面図である。
【図４】図４は、部分的に折り畳んだときの図１のフレームの斜視図である。
【図５】図５は、完全に折り畳んだときの図１のフレームの斜視図である。
【図６】図６は、本発明に従って構成される囲いの別の実施例のキャノピの斜視図である。
【図７】図７は、図６のキャノピのスリーブが部分的に取り外された図である。
【図８】図８Aは、図６のキャノピとともに使用することが可能な一例のカラー・アセンブリが部分的に取り外された図である。図８Bは、ラインB-Bに沿って得られた図８Aのカラー・アセンブリの断面図である。
【符号の説明】
【００３８】
１０２  キャノピ
１１０  フレーム
１１１  ひさし部(上部側方サポート)
１１３  基部(低部側方サポート)
１１５、１１７  支柱
１１６  コーナーブラケット
１１８  垂直バー(直立支柱）
１１９  ナットプレート
１２１、１２３  支柱
１５６  開口部
３０２  キャノピ
【図１】
2005508684.tif 000003
【図２Ａ】
2005508684.tif 000004
【図２Ｂ】
2005508684.tif 000005
【図３Ａ】
2005508684.tif 000006
【図３Ｂ】
2005508684.tif 000007
【図３Ｃ】
2005508684.tif 000008
【図３Ｄ】
2005508684.tif 000009
【図３Ｅ】
2005508684.tif 000010
【図３Ｆ】
2005508684.tif 000011
【図３Ｇ】
2005508684.tif 000012
【図３Ｈ】
2005508684.tif 000013
【図３Ｉ】
2005508684.tif 000014
【図３Ｊ】
2005508684.tif 000015
【図３Ｋ】
2005508684.tif 000016
【図３Ｌ】
2005508684.tif 000017
【図４】
2005508684.tif 000018
【図５】
2005508684.tif 000019
【図６】
2005508684.tif 000020
【図７】
2005508684.tif 000021
【図８Ａ】
2005508684.tif 000022
【図８Ｂ】
2005508684.tif 000023
【国際調査報告】
2005508684.tif 000024